(57)【特許請求の範囲】
【請求項１】
収容架体に上下に複数段に積層された第１の引出し式トレイと上下に複数段に積層された第２の引出し式トレイとを有し、
前記第１の引出し式トレイと前記第２の引出し式トレイとの間に空間部を設け、
前記第１の引出し式トレイに第１の群をなす光ファイバケーブル心線の余長部を収容する第１の余長収容部と、前記第１の群をなす光ファイバケーブル心線と他の光ファイバケーブル心線とを接続する接続部とを設け、
前記第２の引出し式トレイに第２の群をなす光ファイバケーブル心線の余長部を収容する第２の余長収容部を設け、
前記第１の群をなす光ファイバケーブル心線を前記第１の引出し式トレイに外側の側部から導入して前記第１の余長収容部を介して前記接続部へ導き、
前記第２の群をなす光ファイバケーブル心線を前記第２の引出し式トレイに外側の側部から導入して前記第２の余長収容部を介して前記空間部側の側部から前記空間部に導出すると共に、前記空間部から前記第１の引出し式トレイに前記空間部側の側部から導入して前記接続部へ導き、
前記第１の群をなす光ファイバケーブル心線と前記第２の群をなす光ファイバケーブル心線とを前記接続部で接続し、
前記第２の光ファイバケーブル心線は、前記空間部で引出し余長を確保した上で前記第１の引出し式トレイに導入され、
前記空間部に前記第２の光ファイバケーブル心線を這わす筒状又は溝状の余長ダクトを設け、前記引出し余長は、前記第２の光ファイバケーブル心線を前記余長ダクトに這わせた後に曲げ返して再び這わせ、該余長ダクトの後端部から前記第２の光ファイバケーブル心線の曲げ返し部分を突出させることで形成されることを特徴とする光ファイバケーブル配線盤。
【請求項２】
前記余長ダクトの後端部は、下方へ曲げられていることを特徴とする請求項１記載の光ファイバケーブル配線盤。
【請求項３】
収容架体に上下に複数段に積層された第１の引出し式トレイと上下に複数段に積層された第２の引出し式トレイとを有し、
前記第１の引出し式トレイと前記第２の引出し式トレイとの間に空間部を設け、
前記第１の引出し式トレイに第１の群をなす光ファイバケーブル心線の余長部を収容する第１の余長収容部と、前記第１の群をなす光ファイバケーブル心線と他の光ファイバケーブル心線とを接続する接続部とを設け、
前記第２の引出し式トレイに第２の群をなす光ファイバケーブル心線の余長部を収容する第２の余長収容部を設け、
前記第１の群をなす光ファイバケーブル心線を前記第１の引出し式トレイに外側の側部から導入して前記第１の余長収容部を介して前記接続部へ導き、
前記第２の群をなす光ファイバケーブル心線を前記第２の引出し式トレイに外側の側部から導入して前記第２の余長収容部を介して前記空間部側の側部から前記空間部に導出すると共に、前記空間部から前記第１の引出し式トレイに前記空間部側の側部から導入して前記接続部へ導き、
前記第１の群をなす光ファイバケーブル心線と前記第２の群をなす光ファイバケーブル心線とを前記接続部で接続し、
前記第２の光ファイバケーブル心線は、前記空間部で引出し余長を確保した上で前記第１の引出し式トレイに導入され、
前記第２の引出し式トレイから導出した前記第２の光ファイバケーブル心線を這わす第１の余長ダクトと、前記第１の余長ダクトの下方に設けられると共に前記第１の余長ダクトに沿ってこれよりも長く形成された第２の余長ダクトとを備え、前記第２の光ファイバケーブル心線を前記第１の余長ダクトを這わせて曲げ返した後に前記第２の余長ダクトに這わせ、前記引出し余長は、前記第１の余長ダクトから前記第２の余長ダクトへの移行部分に形成されることを特徴とする光ファイバケーブル配線盤。
【請求項４】
前記第２の余長ダクトの幅は、前記第１の余長ダクトの幅よりも幅広に形成され、前記第２の余長ダクトの幅と前記第１の余長ダクトの幅の差は、前記第２の光ケーブル心線の幅以上に形成されていることを特徴とする請求項３記載の光ファイバケーブル配線盤。
【発明の詳細な説明】
【技術分野】
【０００１】
本発明は、収容架体に上下に多段に積層した引出し式トレイを有する光ファイバケーブル配線盤に関する。
【背景技術】
【０００２】
光ファイバケーブル相互間や光ファイバケーブルと伝送装置間を接続可能に成端する装置として光ファイバケーブル配線盤が一般的に使用されているが、このような光ファイバケーブル配線盤においては、上下に多段に積層した引出し式トレイが設けられている。
【０００３】
このような光ファイバケーブル配線盤としては、非特許文献１に示されるように、収容架体内の融着接続用トレイ３を上下に多段に積層した融着ユニットと、コネクタトレイを上下に多段に積層したコネクタユニットとを設け、下方より導入された線路側の光ファイバケーブル心線を各融着接続用トレイに引き込み、この引き込まれた光ファイバケーブル心線をジャンパ線を介して他の光ファイバケーブル心線と接続したり、コネクタ付きコードを介してコネクタユニットへ導くようにしている。
【０００４】
各融着接続用トレイに引き込まれる光ファイバケーブル心線は、融着接続用トレイの一方の側部から引き込まれ、また、ジャンパ線やコネクタ付きコードは、融着接続用トレイの他方の側部から引き込まれ、融着接続用トレイの内部においては、光ファイバケーブル心線の余長部を収容する第１の余長収容部と、ジャンパ線やコネクタ付きコードの余長部を収容する第２の余長収容部とが設けられ、これらの余長収容部を経て光ファイバケーブル心線とジャンパ線又はコネクタ付きコードとを突き合わせ、突き合わせ部分を融着接合して融着ホルダに固定するようにしている。
【０００５】
ところが、上述した構成においては、アクセス系の光ファイバケーブル心線を一方の側部から入線するようにしていたので、新たな光ファイバケーブル心線を追加接続しようとすると、追加するたびに新たな融着接続用トレイが必要となり、また、融着接続用トレイの増加に伴いジャンパ線やコネクタ付きコードを追加する必要がある。
【０００６】
このため、多量の融着接続用トレイが必要となり、また、光ファイバケーブル心線に融着接続する多量の光コード（ジャンパ線やコネクタ付きコード）が必要となるので、コストや作業工数が増大すると共に接続箇所の増加により伝送特性が悪化する等の不都合があることから、本出願人は、先に、これらの不都合を解消する構成について提案している（特許文献１参照）。
【０００７】
これは、上下に多段に積層された引出し式トレイに、第１の群をなす光ファイバケーブル心線の余長部を収容する第１の余長収容部と、第２の群をなす光ファイバケーブル心線の余長部を収容する第２の余長収容部とを設け、第１の群をなす光ファイバケーブル心線と第２の群をなす光ファイバケーブル心線とを一方の側部から導入し、第１及び第２の光ファイバケーブル心線を第１の余長収容部と第２の余長収容部との間へ導き、そこからそれぞれの対応する余長収容部を経て突き合わせ、この突き合わせた部分を融着接続するようにしたものである。
【非特許文献１】「光ファイバケーブル配線盤取り扱い説明書」，MUS-H-024 ，株式会社  昭電，２００１年５月，ｐ１−９
【特許文献１】特開２００６−２７６０８５号公報
【発明の開示】
【発明が解決しようとする課題】
【０００８】
しかしながら、上述の構成においては、融着接続用トレイや収容架体を追加することなく光ファイバケーブル心線の収容容量を増加し、また、ジャンパ線やコネクタ付きコードの本数を減らして作業工数やコストの低減を図ると共に、接続箇所を減らして伝送特性の悪化を抑える（損失の低減を図る）ことが可能になるが、別トレイの接続には、依然としてジャンパ線による従来の接続工法が必要となるため、コードの本数を減らして接続工数やコストの低減を図るには限界があった。
【０００９】
本発明は、上述した事情に鑑みてなされたものであり、ジャンパ線を無くして接続工数やコストの低減を図ると共に、接続箇所を更に減らして伝送特性の悪化を一層抑える（損失の低減を一層図る）ことが可能な光ファイバケーブル配線盤を提供することを主たる課題としている。
【課題を解決するための手段】
【００１０】
上記課題を達成するために、本発明に係る光ファイバケーブル配線盤は、収容架体に上下に複数段に積層された第１の引出し式トレイと上下に複数段に積層された第２の引出し式トレイとを有し、前記第１の引出し式トレイと前記第２の引出し式トレイとの間に空間部を設け、前記第１の引出し式トレイに第１の群をなす光ファイバケーブル心線の余長部を収容する第１の余長収容部と、前記第１の群をなす光ファイバケーブル心線と他の光ファイバケーブル心線とを接続する接続部とを設け、前記第２の引出し式トレイに第２の群をなす光ファイバケーブル心線の余長部を収容する第２の余長収容部を設け、
前記第１の群をなす光ファイバケーブル心線を前記第１の引出し式トレイに外側の側部から導入して前記第１の余長収容部を介して前記接続部へ導き、前記第２の群をなす光ファイバケーブル心線を前記第２の引出し式トレイに外側の側部から導入して前記第２の余長収容部を介して前記空間部側の側部から前記空間部に導出すると共に、前記空間部から前記第１の引出し式トレイに前記空間部側の側部から導入して前記接続部へ導き、前記第１の群をなす光ファイバケーブル心線と前記第２の群をなす光ファイバケーブル心線とを前記接続部で接続し、前記第２の光ファイバケーブル心線は、前記空間部で引出し余長を確保した上で前記第１の引出し式トレイに導入され、前記空間部に前記第２の光ファイバケーブル心線を這わす筒状又は溝状の余長ダクトを設け、前記引出し余長は、前記第２の光ファイバケーブル心線を前記余長ダクトに這わせた後に曲げ返して再び這わせ、該余長ダクトの後端部から前記第２の光ファイバケーブル心線の曲げ返し部分を突出させることで形成されることを特徴としている。
【００１１】
したがって、第１の引出し式トレイと第２の引出し式トレイとを接続する場合に、第２の引出し式トレイに収容された第２の光ファイバケーブル心線を空間部を介して第１の引出し式トレイに導入し、この導入された第２の光ファイバケーブル心線を第１の引出し式トレイ内で第１の光ファイバケーブル心線と接続部で接続するようにしたので、ジャンパ線が不要となり、また、第１の光ファイバケーブル心線と第２の光ファイバケーブル心線とを１回の接続作業で接続させることが可能となる。
【００１２】
ここで、空間部で引出し余長を確保する構造としては、単に引出し余長分の心線を垂らすようにしてもよいが、本発明においては、空間部に第２の光ファイバケーブル心線を這わす筒状又は溝状の余長ダクトを設け、引出し余長を、第２の光ファイバケーブル心線を余長ダクトに這わせた後に曲げ返して再び這わせ、該余長ダクトの後端部から第２の光ファイバケーブル心線の曲げ返し部分を突出させることで形成したので、積層された引出し式トレイのそれぞれの引き出し余長部分が干渉し合わないようにすることが可能となる。なお、余長ダクトの後端部は、下方へ曲げられるものであってもよい。
【００１３】
また、本発明に係る光ファイバケーブル配線盤は、収容架体に上下に複数段に積層された第１の引出し式トレイと上下に複数段に積層された第２の引出し式トレイとを有し、前記第１の引出し式トレイと前記第２の引出し式トレイとの間に空間部を設け、前記第１の引出し式トレイに第１の群をなす光ファイバケーブル心線の余長部を収容する第１の余長収容部と、前記第１の群をなす光ファイバケーブル心線と他の光ファイバケーブル心線とを接続する接続部とを設け、前記第２の引出し式トレイに第２の群をなす光ファイバケーブル心線の余長部を収容する第２の余長収容部を設け、前記第１の群をなす光ファイバケーブル心線を前記第１の引出し式トレイに外側の側部から導入して前記第１の余長収容部を介して前記接続部へ導き、前記第２の群をなす光ファイバケーブル心線を前記第２の引出し式トレイに外側の側部から導入して前記第２の余長収容部を介して前記空間部側の側部から前記空間部に導出すると共に、前記空間部から前記第１の引出し式トレイに前記空間部側の側部から導入して前記接続部へ導き、前記第１の群をなす光ファイバケーブル心線と前記第２の群をなす光ファイバケーブル心線とを前記接続部で接続し、前記第２の光ファイバケーブル心線は、前記空間部で引出し余長を確保した上で前記第１の引出し式トレイに導入され、前記第２の引出し式トレイから導出した前記第２の光ファイバケーブル心線を這わす第１の余長ダクトと、前記第１の余長ダクトの下方に設けられると共に前記第１の余長ダクトに沿ってこれよりも長く形成された第２の余長ダクトとを備え、前記第２の光ファイバケーブル心線を前記第１の余長ダクトを這わせて曲げ返した後に前記第２の余長ダクトに這わせ、前記引出し余長は、前記第１の余長ダクトから前記第２の余長ダクトへの移行部分に形成されるようにしてもよい。
【００１４】
尚、このような構成においては、第２の余長ダクトの幅は、第１の余長ダクトの幅よりも幅広に形成され、第２の余長ダクトの幅と第１の余長ダクトの幅との差は、第２の光ケーブル心線の幅以上に形成されていることが好ましい。
【発明の効果】
【００１５】
以上述べたように、本発明によれば、第１の引出し式トレイと第２の引出し式トレイとを接続する場合に、第２の引出し式トレイに収容された第２の光ファイバケーブル心線を空間部を介して第１の引出し式トレイに導入し、この導入された第２の光ファイバケーブル心線を第１の引出し式トレイ内で第１の光ファイバケーブル心線と直接接続するようにしたので、ジャンパ線が不要となり、また、第１の光ファイバケーブル心線と第２の光ファイバケーブル心線とを１回の接続作業で接続させることが可能となり、ジャンパ線を無くして接続工数やコストの低減を図ることが可能となる。また、接続箇所を従来構成に比べて更に減らすことが可能となるので、伝送特性の悪化を一層抑える（損失の低減を一層図る）ことが可能となる。
【発明を実施するための最良の形態】
【００１６】
以下、この発明の最良の実施形態を添付図面を参照しながら説明する。
【００１７】
図１において、架下導入型の光ファイバケーブル配線盤１の構成例が示され、この光ファイバケーブル配線盤１は、収容架体２の前面に図示しない開閉扉が設けられ、収容架体２の内部左方に第１ユニット３が、また、内部右方に第２ユニット４がそれぞれ設けられている。
【００１８】
第１ユニット３は、前後方向に個別に出し入れ可能な多数の第１の引出し式トレイ５を上下方向に積層して構成されている。また、第２ユニット４は、前後方向に個別に出し入れ可能な多数の第２の引出し式トレイ６を上下方向に積層して構成されている。
【００１９】
第１ユニットと第２ユニットとの間には、所定幅の空間部７が設けられ、したがって、第１の引出し式トレイ５と第２の引出し式トレイ６とは、空間部７を隔てて配置されている。
【００２０】
第１の引出し式トレイ５においては、線路側の光ファイバケーブルから導出した第１の群をなす光ファイバケーブル心線８が外側の側部から引き入れられ、他の光ファイバケーブルから導出された後述する第２の群をなす光ファイバケーブル心線９が空間部側の側部から引き入れられ、第１の引出し式トレイ内において、第１の群をなす光ファイバケーブル心線８と第２の光ファイバケーブル心線９とを融着接続するようにしている。
【００２１】
即ち、第１の引出し式トレイ５には、第１の群をなす光ファイバケーブル心線８を導入可能とする第１の導入口１１が外側の側部に設けられ、また、第２の群をなす光ファイバケーブル心線９を導入可能とする第２の導入口１２が空間部側の側部に設けられ、内部には、第１の群をなす光ファイバケーブル心線８の余長部８ａを収容する第１の余長収容部１３が引出し方向の奥側に設けられ、融着接続部を保持する融着ホルダ１４が引出し方向の手前側に設けられている。
【００２２】
これに対して第２の引出し式トレイ６においては、線路側の光ファイバケーブルから導出した第２の群をなす光ファイバケーブル心線９が外側の側部から引き入れられ、この引き入れられた第２の群をなす光ファイバケーブル心線９を空間部側の側部から空間部７に引き出すようにしている。
【００２３】
即ち、第２の引出し式トレイ６には、第２の群をなす光ファイバケーブル心線９を導入可能とする第３の導入口１５が外側の側部に設けられ、また、第２の群をなす光ファイバケーブル心線９を導出可能とする導出口１６が空間部側の側部に設けられ、内部には、第２の群をなす光ファイバケーブル心線９の余長部９ａを収容する第２の余長収容部１７が引出し方向の奥側に設けられている。
【００２４】
尚、この例においては、第１の引出し式トレイ５と第２の引出し式トレイ６との奥行きは同じであるが、第１の引出し式トレイ５には接続部を保持する融着ホルダ１４が設けられているので、第１の引出し式トレイ５の横幅は第２の引出し式トレイ６の横幅よりも大きく形成されている。
【００２５】
そして、第１の群をなす光ファイバケーブル心線８を第１の導入口１１から第１の引出し式トレイ５内に引き入れ、空間部側から第１の余長収容部１３へ引き回し、この第１の群をなす光ファイバケーブル心線８の余長部８ａを第１の余長収容部１３に収容し、この余長収容部１３の外側から融着ホルダ１４（接続部）に向かって引き回す。また、第２の群をなす光ファイバケーブル心線９を第３の導入口１５から第２の引出し式トレイ６内に引き入れ、空間部側から第２の余長収容部１７へ引き回し、この第２の群をなす光ファイバケーブル心線９の余長部９ａを第２の余長収容部１７に収容し、余長収容部１７の外側から導出口１６に向かって引き回し、この導出口１６から空間部７に引き出した後に第２の導入口１２から第１の引出し式トレイ５内に引き入れ、融着ホルダ１４（接続部）に向かって引き込む。そして、第１の光ファイバケーブル心線８と第２の光ファイバケーブル心線９とを、互いの光ファイバケーブル心線を突き合わせて融着接続し、この融着接続した接続部を融着ホルダ１４の溝に固定するようにしている。
【００２６】
この際、第２の光ファイバケーブル心線９は、前記空間部７で引出し余長を確保した上で前記第１の引出し式トレイ５に導入されるようになっている。即ち、この例においては、空間部７に第２の光ファイバケーブル心線９を保持する一対のガイドピン２０を所定の間隔で水平方向に並設し、このガイドピン２０間に第２の光ファイバケーブル心線９を引出し余長を確保できる長さを見越して垂れ下げるようにしている。
尚、光ファイバケーブル心線９は、段数が同じ第１の引出し式トレイ５と第２の引出し式トレイ６との間を接続するのみならず、段数が異なるトレイ間でも接続できるようになっている。
【００２７】
以上の構成において、第１の引出し式トレイ５に第１の光ファイバケーブル心線８の余長を収容する余長収容部１３を設けると共に第２の光ファイバケーブル心線９と接続する接続部を保持する融着ホルダ１４を設け、第２の引出し式トレイ６に第２の光ファイバケーブル心線９の余長を収容する余長収容部１７を設け、第２の引出し式トレイ６から引出された第２の光ファイバケーブル心線９を空間部７で引出し余長を確保した上で第１の引出し式トレイ５に導入し、この第１の引出し式トレイ５内で第１の光ファイバケーブル心線８と直接融着接続するようにしたので、異なる引出し式トレイを接続する場合にジャンパ線が不要となり、しかも一回の融着作業で異なる光ファイバケーブル心線を接続することが可能となる。
【００２８】
また、第１の引出し式トレイ５と第２の引出し式トレイ６との間に空間部７を設け、この空間部７に引出し式トレイを引き出すための引出し余長が確保されているので、各引出し式トレイ内の構成をコンパクトにすることが可能となる。
【００２９】
尚、空間部７に引出し余長を確保する構成としては、上下に多段に配された引出し余長部分が物理的に接触して破損することを防止するための工夫をすることが好ましい。
例えば、第１の引出し式トレイ５について説明すると、図２に示されるように、筒状の余長ダクト２１を第１の引出し式トレイ５を収容するユニット本体２２の脇に固設し、第２の引出し式トレイ６から空間部７に引き出された第２の光ファイバケーブル心線９を余長ダクト２１の前端開口部２１ａから挿入し、後端開口部２１ｂから引き出して曲げ返した後に後端開口部２１ｂから挿入して再び余長ダクト２１を這わせ、前端開口部２１ａから引き出してユニット本体２２の空間部側の側部に形成されたスリット２３を介して第２の導入口１２から第１の引出し式トレイ５内に導入するようにしてもよい。
【００３０】
また、余長ダクト２１の後端部は幾分下方へ曲げられて第２の光ファイバケーブル心線９がスムーズに斜め下方へ垂れ下がり、下側の第２の光ファイバケーブル心線９との干渉を避けるようにしている。余長ダクト２１の後端開口部２１ｂから引き出される第２の光ファイバケーブル心線９の長さ（余長ダクト２１の後端開口部２１ｂから曲げ返し部分９ｂまでの長さ）は、第１の引出し式トレイ５の引出し長をＬとすると、Ｌ／２以上の長さを確保して光ファイバケーブル心線の曲げ折れを防止するようにしている。
【００３１】
余長ダクト２１は、夫々の引出し式トレイを収容するユニット本体２２の上辺に沿って設け、余長ダクト２１の後端部の曲げられた部分はユニット本体２２の高さの範囲内に収まるようになっている。
【００３２】
尚、第２の光ファイバケーブル心線９の余長ダクト２１を這わす部分のうち前方から後方へ這わす光ファイバケーブル心線は動くことがないように、心線テープで余長ダクト２１に固定したり、クランプ２５（図中、一転鎖線で示す）で留めたりするとよい。
【００３３】
このような構成においては、第１の引出し式トレイ５が引き出されても、余長ダクト２１の後方に引き出されている引出し余長部分が余長ダクト２１の後端にまで達しないので、光ファイバケーブル心線が曲げ折れることがなくなり、また、上下の光ファイバケーブル心線（上下に多段に配された引出し余長部分）が物理的に接触して破損することもなくなる。
【００３４】
尚、上述の余長ダクト２１の例では、余長ダクト２１の曲げられた部分が引出し式トレイを収容するユニット本体２２の高さの範囲内に収まるようにユニット本体２２の上辺に沿って設けられているので、トレイの増設の際に余長ダクト２１が邪魔になる不都合がないメリットを有するが、図３に示されるように、余長ダクト２１ユニット本体２２の下辺に沿って設けるようにしてもよい。また、余長ダクト２１は、図４（ａ）に示されるように筒状に形成されている場合を示したが、図４（ｂ）に示されるように、上部が開放した溝状に形成するようにしてもよい。
【００３５】
さらに、図５に示されるように、第２の引出し式トレイ６から導出された第２の光ファイバケーブル心線９を這わす第１の余長ダクト３１と、この第１の余長ダクト３１を這わせた光ファイバケーブル心線９を曲げ返して第１の引出し式トレイ５に導入するよう第２の導入口１２に向かって這わす第２の余長ダクト３２とを別々に設けるようにしてもよい。
【００３６】
例えば、図５に示される例では、上部が開放された溝状の第１の余長ダクト３１を第１の引出し式トレイ５を収容するユニット本体２２の側部に中間の高さに設け、上部が開放された溝状の第２の余長ダクト３２をユニット本体２２の下辺に沿って設け、第２の余長ダクト３２を第１の余長ダクト３１よりも長くして第２の余長ダクト３２を第１の余長ダクト３１より後方へ突設するようにし、また、第２の余長ダクト３２の幅を第１の余長ダクト３１の幅よりも広く形成するようにしている。この第２の余長ダクト３２の幅と第１の余長ダクト３１の幅との差（Ｎ）は第２の光ファイバケーブル心線９の幅以上に形成されている。そして、引出し余長を、第１の余長ダクト３１から第２の余長ダクト３２への移行部分に形成するようにしている。特に、図５に示す例では、第２の余長ダクト３２の後方に第１の引出し式トレイ５の引出し長Ｌの半分（Ｌ／２）以上の長さを確保して引出し余長を確保するようにしている。
【００３７】
このような構成においては、引出し式トレイ５が引き出されても、第２の余長ダクト３２の後方に引き出されている曲げ返し部分９ｂが第２の余長ダクト３２に収まるように短くなるだけであるので（図５（ｂ）参照）、光ファイバケーブル心線９が曲げ折れることがなくなり、また、上下の光ファイバケーブル心線（上下に多段に配された引出し余長部分）が物理的に接触して破損することもなくなる。
【００３８】
また、余長ダクトが第１の余長ダクトと第２の余長ダクトとに分けられているので、配線作業を容易に行うことが可能となり、また、第２の余長ダクト３２の幅と第１の余長ダクト３１との幅の差（Ｎ）が第２の光ファイバケーブル心線９の幅以上に形成されているので、第２の余長ダクト３２への光ファイバケーブル心線９の配線が第１の余長ダクト３１により妨げられることもなくなり、取り付け作業を容易に行うことが可能となる。
【００３９】
尚、第２の余長ダクト３２において、第１の余長ダクト３１より後方へ突設する長さ（Ｍ）が第１の引出し式トレイ５の引出し長Ｌの半分（Ｌ／２）以上の長さに確保できるのであれば、第２の余長ダクト３２のさらに後方に引出し余長を確保する必要がない。このような構成においては、図６に示されるように、第２の余長ダクト３２の後端を閉塞するようにしてもよく、また、引出し式トレイの奥行きが第１の余長ダクト３１の後端よりＭ以上あるのであれば、それぞれの余長ダクト３１，３２を図７に示されるように引出し式トレイ５より後方へ突設させる必要がなくなる。
【００４０】
また、以上の構成においては、第１の引出し式トレイ５に余長ダクト２１，３１，３２を設けた例を示したが、第２の引出し式トレイ６にも同様に余長ダクトを設けるようにしてもよい。
【００４１】
また、以上の構成は、空間部７に引出し余長を確保する例を示したが、第２の光ファイバケーブル心線９に引出し余長を設ける構成としては、図８に示されるように、第２の引出し式トレイ６の内部に引出し余長を確保するようにしてもよい。即ち、第２の引出し式トレイ６の後部をユニット本体４０から後方へ突設させると共に下方へ曲げた引出余長収容部４１を設け、この引出余長収容部４１の内部に第２の光ファイバケーブル心線９を引き回して引出し余長を確保するようにしてもよい。下方に曲げられた引出余長収容部４１は、第２の引出し式トレイ６を前方へ押し出した場合にユニット本体４０の枠に当接してストッパとして機能し、また、この引出余長収容部４１に開閉カバー４２を設け、この部分を取り外してメンテナンスを可能としている。
【００４２】
このような構成においては、第１又は第２の引出し式トレイ５，６が引き出されても、第２の引出し式トレイ６内の引出し余長が伸縮するだけであり、光ファイバケーブル心線９が曲げ折れることがなくなり、また、上下の光ファイバケーブル心線（上下に多段に配された引出し余長部分）が物理的に接触して破損することもなくなる。
【図面の簡単な説明】
【００４３】
【図１】図１（ａ）は、本発明に係る光ファイバケーブル配線盤の配線状態を示す内観概略図であり、図１（ｂ）は、図１（ａ）で用いる第１及び第２の引出し式トレイの配線の取り回し例を示す拡大概略図であり、図１（ａ）のＡ−Ａ線から見た図である。
【図２】図２は、空間部に引出し余長を確保するための余長ダクトを設けた構成例を示す図であり、（ａ）はその斜視図を、（ｂ）はその側面図を示す。
【図３】図３は、余長ダクトを設けた他の構成例を示す側面図である。
【図４】図４は、余長ダクトの構成例を示す斜視図である。
【図５】図５は、空間部に引出し余長を確保するために溝状の第１及び第２の余長ダクトを向けた構成例を示す図であり、（ａ）はその斜視図を、（ｂ）はその側面図を、（ｃ）はその平面図を示す。
【図６】図６は、図５で示した構成を変形例を示す図であり、（ａ）はその斜視図を、（ｂ）はその側面図を示す。
【図７】図７は、図５で示した構成を他の変形例を示す側面図である。
【図８】図８は、第２の引出し式トレイ内に引出し余長を確保するための構成例を示す図であり、（ａ）は引出し式トレイを出す前の状態を示す斜視図であり、（ｂ）は引出し式トレイを出した後の状態を示す斜視図であり、（ｃ）は引出し式トレイを出す前後の状態を示す側面図を示す。
【符号の説明】
【００４４】
５  第１の引出し式トレイ
６  第２の引出し式トレイ
７  空間部
８  第１の光ファイバケーブル心線
９  第２の光ファイバケーブル心線
９ｂ  曲げ返し部分
１３  第１の余長収容部
１７  第２の余長収容部
１４  融着ホルダ
２１  余長ダクト
３１  第１の余長ダクト
３２  第２の余長ダクト
【図１】
0005063376.tif 000002
【図２】
0005063376.tif 000003
【図３】
0005063376.tif 000004
【図４】
0005063376.tif 000005
【図５】
0005063376.tif 000006
【図６】
0005063376.tif 000007
【図７】
0005063376.tif 000008
【図８】
0005063376.tif 000009